(57)【特許請求の範囲】
【請求項１】
互いに隣接する長辺板部と短辺板部を備えて断面が略Ｌ字状に形成された蓋部材であって、
前記長辺板部は、この幅方向に隣接する前記短辺板部と共有する稜線部に対して略平行に伸びて互いに間隔をおいて並んで配置され、その上面より厚さ方向の裏側に凹んで形成された複数本の第１溝部と、その上面より厚さ方向の裏側に凹んで形成され、その長さ方向両端部のそれぞれが、前記複数本の第１溝部のそれぞれに連結された複数本の第２溝部とを有し、
前記複数本の第２溝部は、前記長辺板部の長さ方向の両端部寄りに配置された溝部の方が、前記長辺板部の長さ方向の中央部寄りに配置された溝部よりも、前記稜線部からの角度が小さい傾きとなるようにその長さ方向が設定された
ことを特徴とする蓋部材。
【請求項２】
前記短辺板部は、前記長辺板部と共有する稜線部に対して略平行方向に伸びて、外側面より前記短辺板部の厚さ方向の裏側に凹んで形成された第３溝部を有することを特徴とする請求項１に記載の蓋部材。
【請求項３】
前記短辺板部は、前記長辺板部と共有する稜線部に対して略垂直方向に伸びて、外側面より前記短辺板部の厚さ方向の裏側に凹んで形成された第４溝部を有することを特徴とする請求項１又は２に記載の蓋部材。
【請求項４】
開口部を有し、当該開口部に請求項１から３のいずれかに記載の蓋部材が取付けられたことを特徴とするフロアパネル。
【発明の詳細な説明】
【技術分野】
【０００１】
本発明は、フリーアクセスフロア用のフロアパネル側部の開口部に取付けられる蓋部材、及びこの蓋部材が取付けられたフロアパネルに関するものである。
【背景技術】
【０００２】
フロアパネルは、フリーアクセスフロアに用いられるものであり、建築構造物の一部を構成する床面の上方に空間を隔てて第２の床面を形成するために設けられるものである。【０００３】
図８から図１０は、従来の蓋部材２及びこれを用いたフロアパネル４を説明するために参照する図である。【０００４】
図８に示すように、従来のフロアパネル４は、他の機器から引き出した配線等を通すことができるように、図中下側の側辺部に図中上方に向かって略矩形状に入り込むように切り欠かれた開口部４ａが形成されていた。【０００５】
図９に示すように、フロアパネル４の開口部４ａを構成する略コの字状の３つの辺部には、フロアパネル４の上面４ｂから下方に折り曲げられてその断面がテーパ状のテーパ部４ｅと、そのテーパ部４ｅの下端部から水平外側に突出するようフランジ状に折り曲げられた略コの字状のフランジ部４ｃが形成されていた。【０００６】
このフランジ部４ｃは、互いに対向して蓋部材２の長さ方向両端部のそれぞれを支持する長端支持部４ｆ，４ｇと、これらの長端支持部４ｆ，４ｇそれぞれの図８中上端部に、その両端部のそれぞれが連結された、蓋部材２の短い幅方向の端部を支持する短端支持部４ｈを有して構成されており、その上面には、フロアパネル４の上面４ｂより高さが一段下がった高さ位置に、水平の段差面４ｄが形成されていた。【０００７】
そして、従来のフロアパネル４は、図９に示すような、その開口部４ａのフランジ部４ｃの段差面４ｄ上に、図１０に示すように、その断面がＬ字状に形成された蓋部材２の、その断面における寸法が長い方の長辺板部２ａを載置させることにより、フロアパネル４の開口部４ａの全てを閉塞することができた（特許文献１参照）。【０００８】
また、その長辺板部２ａの代わりに、蓋部材２のＬ字状の断面における寸法が短い方の短辺板部２ｂをフランジ部４ｃの段差面４ｄ上に載せるように、蓋部材２の姿勢を変えることにより、フロアパネル４の開口部４ａの一部のみを閉塞することもできた。
【先行技術文献】
【特許文献】
【０００９】
【特許文献１】特開２００３−４１７５３号公報
【特許文献２】特開２００５−２３２８０８号公報
【発明の概要】
【発明が解決しようとする課題】
【００１０】
しかしながら、この従来のフロアパネル４に用いた蓋部材２は、単なる板部材の断面をＬ字状に折り曲げたような構造であったので、その強度が十分でなく、その上方から大きな荷重が加えられた際には、その蓋部材２が変形するおそれがあるという問題があった。【００１１】
そして、上記蓋部材２の変形を防止するために蓋部材２の板厚を厚くしてその強度を向上させることが考えられるが、そうすると今度は蓋部材２の重量が重くなると共に、その製造に掛かる材料の量が増してその分コストが高くなり、蓋部材２の重量化や高コスト化を招くという問題があった。【００１２】
また、上記蓋部材２の変形を防止するために、図１０に示すような、蓋部材２の長辺板部２ａにおいて、その短辺板部２ｂと共有する稜線部３に沿うように伸びて、その上面２ｃよりその厚さ方向の裏側に凹んだ補強溝部２ｄ（補強ビード）を段押し形成することが行われていた（特許文献２参照）。【００１３】
そしてこのことにより、蓋部材２の上方から加えられた荷重をフロアパネル４の開口部４ａの、コの字状のフランジ部４ｃのうち、互いに対向する長端支持部４ｆ，４ｇ（図９参照）に集中的に伝達させるようになっていた。【００１４】
しかしながら、蓋部材２は、その長辺板部２ａに上述した補強溝部２ｄが形成されたとしても、その強度を十分に向上させることはできず、その上方から大きな荷重が加えられた際には、その蓋部材２が変形するおそれが十分あるという問題があった。【００１５】
そこで本発明は、上記問題点に鑑みて、蓋部材の強度を向上させて、フロアパネルの開口部に載置されてその上方から大きな荷重が加えられた際に変形するのを防止することができると共に、その板厚が過度に厚くなることを防止することができる蓋部材及びこれを用いたフロアパネルを提供することを課題とするものである。
【課題を解決するための手段】
【００１６】
上記課題を解決するために、請求項１に記載された蓋部材は、
互いに隣接する長辺板部と短辺板部を備えて断面が略Ｌ字状に形成された蓋部材であって、
前記長辺板部は、この幅方向に隣接する前記短辺板部と共有する稜線部に対して略平行に伸びて互いに間隔をおいて並んで配置され、その上面より厚さ方向の裏側に凹んで形成された複数本の第１溝部と、その上面より厚さ方向の裏側に凹んで形成され、その長さ方向両端部のそれぞれが、前記複数本の第１溝部のそれぞれに連結された複数本の第２溝部とを有し、
前記複数本の第２溝部は、前記長辺板部の長さ方向の両端部寄りに配置された溝部の方が、前記長辺板部の長さ方向の中央部寄りに配置された溝部よりも、前記稜線部からの角度が小さい傾きとなるようにその長さ方向が設定されたことを特徴とするものである。
【００１８】
また、請求項２に記載された蓋部材は、
前記短辺板部は、前記長辺板部と共有する稜線部に対して略平行方向に伸びて、外側面より前記短辺板部の厚さ方向の裏側に凹んで形成された第３溝部を有することを特徴とするものである。
【００１９】
また、請求項３に記載された蓋部材は、
前記短辺板部は、前記長辺板部と共有する稜線部に対して略垂直方向に伸びて、外側面より前記短辺板部の厚さ方向の裏側に凹んで形成された第４溝部を有することを特徴とするものである。
【００２０】
また、上記課題を解決するために、請求項４に記載されたフロアパネルは、
開口部を有し、当該開口部に上記請求項１から３のいずれかに記載の蓋部材が取付けられたことを特徴とするものである。
【発明の効果】
【００２１】
このような本発明の蓋部材によれば、
互いに隣接する長辺板部と短辺板部を備えて断面が略Ｌ字状に形成された蓋部材であって、
前記長辺板部は、この幅方向に隣接する前記短辺板部と共有する稜線部に対して略平行に伸びて互いに間隔をおいて並んで配置され、その上面より厚さ方向の裏側に凹んで形成された複数本の第１溝部と、その上面より厚さ方向の裏側に凹んで形成され、その長さ方向両端部のそれぞれが、前記複数本の第１溝部のそれぞれに連結された複数本の第２溝部とを有することにより、
蓋部材の強度を向上させて、フロアパネルの開口部に載置されてその上方から大きな荷重が加えられた際に変形するのを防止することができると共に、その板厚が過度に厚くなることを防止することができる。【００２２】
また、本発明のフロアパネルによれば、
開口部を有し、当該開口部に蓋部材が取付けられたフロアパネルであって、
前記蓋部材は、互いに隣接する長辺板部と短辺板部を備えて断面が略Ｌ字状に形成されて、
前記長辺板部は、この幅方向に隣接する前記短辺板部と共有する稜線部に対して略平行に伸びて互いに間隔をおいて並んで配置され、その上面より厚さ方向の裏側に凹んで形成された複数本の第１溝部と、その上面より厚さ方向の裏側に凹んで形成され、その長さ方向両端部のそれぞれが、前記複数本の第１溝部のそれぞれに連結された複数本の第２溝部とを有することにより、
蓋部材の強度を向上させて、フロアパネルの開口部に載置されてその上方から大きな荷重が加えられた際に変形するのを防止することができると共に、その板厚が過度に厚くなることを防止することができる。
【図面の簡単な説明】
【００２３】
【図１】本発明の第１の実施の形態に係る蓋部材２０及びこれを用いたフロアパネル２２を示す図であって、蓋部材２０及びフロアパネル２２の開口部２２ａを示す斜視図である。
【図２】図１における蓋部材２０の長辺板部２４の上面２４ａ側から見た上面図である。
【図３】図１における蓋部材２０の短辺板部２６の外側面２６ａ側から見た側面図である。
【図４】図２における蓋部材２０のＡ−Ａ線矢視の断面図である。
【図５】図２における蓋部材２０のＢ−Ｂ線矢視の断面図である。
【図６】本発明の第２の実施の形態に係る蓋部材４０及びこれを用いたフロアパネル４２を示す図であって、蓋部材４０及びフロアパネル４２の開口部２２ａを示す斜視図である。
【図７】図６における蓋部材４０の長辺板部４４の上面４４ａ側から見た上面図である。
【図８】従来及び本発明の第１の実施の形態に係るフロアパネル４，２２を示す図であって、それらに蓋部材２，２０が取付けられる前の状態を示すその全体上面図である。
【図９】蓋部材２，２０が取付けられる前のフロアパネル４，２２の開口部４ａ，２２ａ及びその近傍を拡大して示す部分拡大斜視図である。
【図１０】従来の蓋部材２及びこれを用いたフロアパネル４の開口部４ａの近傍を示す斜視図である。
【発明を実施するための形態】
【００２４】
以下、本発明に係る蓋部材及びこれを用いたフロアパネルを実施するための形態について、図面に基づいて具体的に説明する。
図１から図５、図８及び図９は、本発明の第１の実施の形態に係る蓋部材２０及びこれを用いたフロアパネル２２について説明するために参照する図である。
【００２５】
本実施の形態に係るフロアパネル２２は、前記従来のフロアパネル４における蓋部材２の代わりに、図１に示すような蓋部材２０を有している点において、従来のフロアパネル４と著しく異なるものである。
【００２６】
そして、本実施の形態に係るフロアパネル２２は、蓋部材２０が取付けられていない状態では、図８及び図９に示すような、従来の蓋部材２が取付けられていないフロアパネル４と全く同じ形状及び構造を有している。
【００２７】
すなわち、フロアパネル２２は、図８に示す従来のフロアパネル４と同様に、図中下側の側辺部に図中上方に向かって略矩形状に入り込むように切り欠かれた開口部２２ａが形成されている。
【００２８】
そして図９に示すように、この開口部２２ａを構成するコの字状の３つの辺部には、フロアパネル２２の上面４ｂから下方に折り曲げられてその断面がテーパ状のテーパ部４ｅと、そのテーパ部４ｅの下端部から水平外側に突出するようフランジ状に折り曲げられた、上面図において略コの字状となるフランジ部４ｃが形成されている。
【００２９】
このフランジ部４ｃは、図８に示すように、従来の説明と同様の互いに対向する長端支持部４ｆ，４ｇと、これらの長端支持部４ｆ，４ｇそれぞれの図中上端部に、その両端部のそれぞれが連結された短端支持部４ｈを有して構成されており、その上面には、フロアパネル２２の上面４ｂより高さが一段下がった高さ位置に水平の段差面４ｄが形成されている。
【００３０】
本実施の形態に係る蓋部材２０は、図１に示すように、水平の長辺板部２４と、鉛直の短辺板部２６により構成されており、図９に示すような、フロアパネル２２の開口部２２ａの、フランジ部４ｃの段差面４ｄ上に、その長辺板部２４を上にして水平に載置させることにより、フロアパネル２２の開口部２２ａを閉塞するようになっている。
【００３１】
蓋部材２０は、図１及び図４に示すように、長辺板部２４と短辺板部２６のそれぞれが略矩形の板状に形成されており、これらの長辺板部２４と短辺板部２６が互いに稜線部２５を共有して、互いに隣接して配置されており、その鉛直断面形状がＬ字状に形成されている。
【００３２】
蓋部材２０の長辺板部２４は、図２に示すように、その短辺板部２６と共有する稜線部２５に対して略平行になるように、その長さ方向（図中上下方向）に伸びる５本の第１溝部２４ｂが、プレス装置を用いた絞り加工により形成されている。
【００３３】
ここで、図２においては、説明の便宜上、図中上下方向に伸びる５本の第１溝部２４ｂと、図中左右方向に伸びる１５本の第２溝部２４ｃが、破線により部分ごとに区切るように描かれているが、図１に示すように、実際にはこれらを区切る境界のようなものはなく、全体的に連続して形成されている。
【００３４】
蓋部材２０の長辺板部２４に形成された５本の第１溝部２４ｂは、互いに間隔をおいて並んで配置されている。そして、これら５本の第１溝部２４ｂのうち、図２中右側の３本の第１溝部２４ｂよりも長さ寸法が短い、図２中左側の２本の第１溝部２４ｂは、図２中上下方向に互いに間隔をおいて直列に配置されている。
【００３５】
図４に示すように、蓋部材２０の長辺板部２４に形成された５本の第１溝部２４ｂのそれぞれは、その上面２４ａよりプレス絞り加工により押下げられて図中下方に凹んで形成されており、その上面２４ａより高さが一段下がった高さ位置に水平の溝底面２４ｄと、上面２４ａと溝底面２４ｄを繋ぐその断面がテーパ状のテーパ部２４ｅが形成されている。
【００３６】
また、蓋部材２０の長辺板部２４は、図２に示すように、互いに隣接する第１溝部２４ｂ，２４ｂ間に配置されて、その短辺板部２６と共有する稜線部２５に対して直角又は任意の角度に傾くようにして、主に図中左右方向に伸びる１５本の第２溝部２４ｃが、プレス絞り加工により形成されている。
【００３７】
蓋部材２０の長辺板部２４に形成された１５本の第２溝部２４ｃは、図中上下及び左右方向に互いに間隔をおいて並んで配置されている。そして、これらの１５本の第２溝部２４ｃは、長辺板部２４の長さ方向（図中上下方向）の両端部寄りに配置された方が、その長さ方向の中央部寄りに配置された方よりも、稜線部２５に対してより鋭角に傾いて配置されている。
【００３８】
すなわち、図２に示すように、蓋部材２０の長辺板部２４の１５本の第２溝部２４ｃのうち、長辺板部２４の長さ方向（図中上下方向）の中央部に配置された１本の第２溝部２４ｃは、稜線部２５に対して直角に配置されている。
【００３９】
また、上記中央部に配置された１本の第２溝部２４ｃより図中上方に配置された７本の第２溝部２４ｃは、図中左端部が右端部よりも上方に傾いて配置されており、図中上端部に近い方が図中上端部に遠い方よりも角度の小さい鋭角に傾いて配置されている。
【００４０】
同様に、上記中央部に配置された１本の第２溝部２４ｃより図中下方に配置された７本の第２溝部２４ｃは、図中左端部が右端部よりも下方に傾いて配置されており、図中下端部に近い方が図中下端部に遠い方よりも角度の小さい鋭角に傾いて配置されている。
【００４１】
また、図２に示すように、長辺板部２４の第２溝部２４ｃは、その長さ方向の一端部が第１溝部２４ｃの長さ途中部に連結されており、その長さ方向の他端部が別の第１溝部２４ｃの長さ途中部に連結されている。
【００４２】
そして、長辺板部２４の１５本の第２溝部２４ｃのそれぞれは、その長さ方向の両端部が連結される第１溝部２４ｃに対して、互いの連結部が略Ｔ字状に連結されるようになっており、互いの連結部が略十字状に連結されるようにはなっていない。すなわち、第２溝部２４ｃのそれぞれは、その長さ方向の一端部が他の第２溝部２４ｃの一端部とそれらの間に第１溝部２４ｂを挟んで連続しないように、互いに図２中上下方向にずれて配置されている。
【００４３】
図５に示すように、蓋部材２０の長辺板部２４に形成された１５本の第２溝部２４ｃのそれぞれは、第１溝部２４ｂと同様に、その上面２４ａよりプレス絞り加工により押下げられて図中右方に凹んで形成されており、その上面２４ａより高さが一段下がった高さ位置に水平の溝底面２４ｄと、上面２４ａと溝底面２４ｄを繋ぐその断面がテーパ状のテーパ部２４ｅが形成されている。
【００４４】
そして、これらの第２溝部２４ｃのそれぞれは、その溝底面２４ｄの高さ位置が、第１溝部２４ｂに形成された溝底面２４ｄの高さ位置と同一平面状に連続している。
【００４５】
また、蓋部材２０の長辺板部２４は、図２，図５に示すように、その長さ方向（図中上下方向）の両端部のそれぞれに、下方（図２中紙面奥側、図５中紙面右側）に向かって略直角に折り曲げられた係止部２４ｆが形成されている。
【００４６】
この係止部２４ｆは、蓋部材２０がフロアパネル２２の開口部２２ａのフランジ部４ｃの上に載置された際に、フランジ部４ｃに係合するようになっている。このため、蓋部材２０がフロアパネル２２のフランジ部４ｃから容易に外れることを防止することができる。
【００４７】
次に、蓋部材２０の短辺板部２６は、図４に示すように、長辺板部２４と共有する稜線部２５とはその幅方向（図中上下方向）反対側の下端部には、その先端部が図中時計回り方向にＵ字状に折り曲げられた折畳部２６ｂが形成されている。
【００４８】
蓋部材２０の短辺板部２６には、上述したように折畳部２６ｂが形成されていて、この折畳部２６ｂの水平断面積が大きく形成されていることにより、短辺板部２６は補強されて変形し難くなっている。
【００４９】
また、蓋部材２０の短辺板部２６は、図３に示すように、その幅方向（図中左右方向）中央部に、その長さ方向（図中上下方向）の両端部にわたって伸びる１本の第３溝部２６ｃが、プレス装置を用いた絞り加工により形成されている。
【００５０】
図４に示すように、蓋部材２０の短辺板部２６に形成された１本の第３溝部２６ｃは、その外側面２６ａよりプレス絞り加工により押下げられて、その厚さ方向の内側（図中左方）に凹んで形成されており、その外側面２６ａより高さが一段下がった高さ位置に外側面２６ａに対して水平の溝底面２６ｄと、外側面２６ａと溝底面２６ｄを繋ぐその断面がテーパ状のテーパ部２６ｅが形成されている。
【００５１】
このような本実施の形態に係る蓋部材２０は、その長辺板部２４に第１溝部２４ｂと第２溝部２４ｃのそれぞれが形成されていることにより、その面剛性を大きくすることができるので、上方からの荷重に対する第１蓋部材２２の強度を向上させることができる。
【００５２】
すなわち、従来の実施の形態に係る蓋部材２は、図１０に示すような、その長辺板部２ａにその短辺板部２ｂと共有する稜線部３に沿うように伸びて、その上面２ｃよりその厚さ方向に凹んだ補強溝部２ｄを形成することにより、蓋部材２の上方から加えられた荷重をフロアパネル４の開口部４ａの、コの字状のフランジ部４ｃのうち、互いに対向する長端支持部４ｆ，４ｇ（図９参照）に集中的に伝達させるようになっていた。
【００５３】
これに対して、本実施の形態に係る蓋部材２０は、図２に示すように、その長辺板部２４に、その短辺板部２６と共有する稜線部２５に対して略平行に伸びる５本の第１溝部２４ｂと、その稜線部２５に対して垂直又は鋭角に傾いて伸びる１５本の第２溝部２４ｃとが形成されているため、蓋部材２０の上方から加えられた荷重をフロアパネル２２の開口部２２ａの、コの字状のフランジ部４ｃの長端支持部４ｆ，４ｇ及び短端支持部短端支持部４ｈに分散して伝達させることができる。
【００５４】
また、本実施の形態に係る蓋部材２０における、その１５本の第２溝部２４ｃのそれぞれは、長辺板部２４の長さ方向の両端部寄りに配置された溝部の方が、長辺板部２４の長さ方向の中央部寄りに配置された溝部よりも、稜線部２５からの角度が小さい傾きとなるようその長さ方向が設定されているため、蓋部材２０の上方から加えられた荷重をフロアパネル２２の開口部２２ａの、コの字状のフランジ部４ｃの長端支持部４ｆと短端支持部４ｈの連結部、長端支持部４ｇと短端支持部４ｈの連結部にも分散して伝達させることができる。
【００５５】
また、本実施の形態に係る蓋部材２０における、その１５本の第２溝部２４ｃのそれぞれは、その長さ方向の一端部が他の第２溝部２４ｃの一端部とそれらの間に第１溝部２４ｂを挟んで連続しないように、第１溝部２４ｂの長さ方向に互いにずれて配置されているため、蓋部材２０の上方から加えられた荷重をフロアパネル２２の開口部２２ａの、コの字状のフランジ部４ｃの短端支持部４ｈに集中して伝達されることを防止することができる。
【００５６】
したがって、本実施の形態に係る蓋部材２０は、フロアパネル２２のフランジ部４ｃ上に載置された際に、蓋部材２０の上方から加えられる荷重をフランジ部４ｃを構成する３辺である、長端支持部４ｆ，４ｇ及び短端支持部４ｈのそれぞれに効果的に分散して伝達することができるので、上方からの荷重に対する蓋部材２０の強度（面剛性）を向上させることができる。
【００５７】
また、本実施の形態に係る蓋部材２０は、短辺板部２６に第３溝部２６ｃが形成されていて、この第３溝部２６ｃはその両側にテーパ部２６ｅが形成されているので、短辺板部２６の長さ方向と垂直の断面積が大きくなるように形成されているため、その剛性を大きくすることができるので、上方からの荷重に対する蓋部材２０の強度を向上させることができる。
【００５８】
このような蓋部材２０をフロアパネル２２の開口部２２ａに取付けることにより、フロアパネル２２により構成されるフリーアクセスフロアの耐荷重強度を向上させることができる。
【００５９】
また、本実施の形態に係る蓋部材２０及びこれを用いたフロアパネル２２によれば、蓋部材２０がフロアパネル２２の開口部２２ａに載置された際に、その上方からの荷重に対する蓋部材２０の強度を向上させることができるので、上記荷重により蓋部材２０が変形するのを防止することができると共に、蓋部材２０の板厚を大きくする必要がないので、その板厚が過度に厚くなることを防止することができる。
【００６０】
以上に説明したように、本実施の形態に係る蓋部材２０及びこれを用いたフロアパネル２２によれば、蓋部材２０の強度を向上させて、フロアパネル２２の開口部２２ａに載置されてその上方から大きな荷重が加えられた際に変形するのを防止することができると共に、やはりその板厚が過度に厚くなることを防止することができる。
【００６１】
図６及び図７は、本発明の第２の実施の形態に係る蓋部材４０及びこれを用いたフロアパネル４２について説明するために参照する図である。
【００６２】
本実施の形態に係る蓋部材４０は、図６に示すように、その短辺板部４６の長さ方向中央部に、その幅方向（図中上下方向）の両端部にわたって伸びる１本の第４溝部４６ｆが、プレス装置を用いた絞り加工により形成されている点において、前記第１の実施の形態に係る蓋部材２０とは異なるが、長辺板部４４の第１溝部４４ｂ、第２溝部４４ｃ及び係止部４４ｆ並びに短辺板部４６の折畳部４６ｂは、長辺板部２４の第１溝部２４ｂ，第２溝部２４ｃ及び係止部２４ｆ並びに短辺板部２６の折畳部２６ｂと同様のものである。
【００６３】
図７に示すように、蓋部材４０の短辺板部４６に形成された１本の第４溝部４６ｆは、その外側面４６ａよりプレス絞り加工により押下げられて、その厚さ方向の内側（図中左方）に凹んで形成されており、その外側面４６ａより高さが一段下がった高さ位置に外側面４６ａに対して水平の溝底面４６ｇと、外側面４６ａと溝底面４６ｇを繋ぐその断面がテーパ状のテーパ部４６ｈが形成されている。
【００６４】
そして、図６に示すように、短辺板部４６の第４溝部４６ｆは、この第４溝部４６ｆにより２本に分断された第３溝部４６ｃそれぞれの一端部が、その長さ途中部に連結されている。
【００６５】
本実施の形態に係る蓋部材４０は、図６に示すように、図１に示す前記第１の実施の形態に係る蓋部材２０と同様に、フロアパネル４２の開口部４２ａの、フランジ部４ｃの段差面４ｄ上に、その長辺板部４４を上にして水平に載置させることにより、フロアパネル４２の開口部４２ａを閉塞するようになっている。
【００６６】
このような本実施の形態に係る蓋部材４０及びこれを用いたフロアパネル４２によれば、前記第１の実施の形態に係る蓋部材２０及びこれを用いたフロアパネル２２と同様に、蓋部材４０の強度を向上させて、フロアパネル４２の開口部４２ａに載置されてその上方から大きな荷重が加えられた際に変形するのを防止することができると共に、やはりその板厚が過度に厚くなることを防止することができる。
【００６７】
また、本実施の形態に係る蓋部材４０及びこれを用いたフロアパネル４２によれば、図７に示すように、蓋部材４０の第４溝部４６ｆが形成されたことにより生じた隙間に配線４８を通すこともできる。
【００６８】
なお、本発明は、前記実施の形態にのみ限定されるものではなく、本発明の目的を達成することができる範囲内であれば、蓋部材及びこれを用いたフロアパネルについて種々の変更が可能である。
【００６９】
例えば、前記第１の実施の形態に係る蓋部材２０は、その長辺板部２４に４本の第１溝部２４ｂと１５本の第２溝部２４ｃが形成されていたが、第１溝部と第２溝部２４は、これらの本数に限定される必要はなく、それぞれ２本以上の複数本を形成するだけでよい。
【００７０】
また、前記第１の実施の形態に係る蓋部材２０は、その短辺板部２６に１本の第３溝部２６ｃが形成されていたが、２本以上の複数本が形成されていてもよい。この点については前記第２の実施の形態における第３溝部４６ｃ及び第４溝部４６ｆについても同様とする。
【００７１】
また、前記第１の実施の形態に係るフロアパネル２２は、その側辺部に略矩形状に入り込むように切り欠かれた開口部２２ａが１つ形成されていたが、フロアパネルは開口部が複数形成されていてもよく、それらの開口部それぞれに蓋部材を載置するようにしてもよい。この点については前記第２の実施の形態に係るフロアパネル４２についても同様である。
【００７２】
また、互いに隣接する２つのフロアパネル４２それぞれの開口部４２ａを対向するように配置して、それぞれに蓋部材４０を載置した場合には、２つの蓋部材４０の第４溝部４６ｆにより生じた大きな隙間に、図７に示す配線４８よりも径の大きい配線を通すことができる。
【００７３】
また、前記第１の実施の形態に係るフロアパネル２２は、その上面４ｂを有する板部とフランジ部４ｃの間に、その断面がテーパ状のテーパ部４ｅが形成されていたが、必ずしもテーパ部４ｅは形成されていなくてもよい。すなわち、テーパ部４ｅの代わりに、フロアパネル２２の上面４ｂを有する板部とフランジ部４ｃとを繋ぐ垂直断面が円弧状の板部でもよく、或は単に垂直方向に伸びるだけの平板状の板部が形成されていてもよい。
【００７４】
この点については前記第１の実施の形態に係る蓋部材２０の第１溝部２４ｂ、第２溝部２４ｃ及び第３溝部２６ｃ並びに前記第２の実施の形態に係る蓋部材４０の第１溝部４４ｂ、第２溝部４４ｃ、第３溝部４６ｃ及び第４溝部４６ｆについても同様であり、テーパ部の代わりに、垂直断面が円弧状の板部や単に垂直方向に伸びるだけの平板状の板部が形成されていてもよい。
【符号の説明】
【００７５】
２  蓋部材
２ａ  長辺板部
２ｂ  短辺板部
２ｃ  上面
２ｄ  補強溝部
３  稜線部
４  フロアパネル
４ａ  開口部
４ｂ  上面
４ｃ  フランジ部
４ｄ  段差面
４ｅ  テーパ部
４ｆ，４ｇ  長端支持部
４ｈ  短端支持部
２０  蓋部材
２２  フロアパネル
２２ａ  開口部
２４  長辺板部
２４ａ  上面
２４ｂ  第１溝部
２４ｃ  第２溝部
２４ｄ  溝底面
２４ｅ  テーパ部
２４ｆ  係止部
２５  稜線部
２６  短辺板部
２６ａ  外側面
２６ｂ  折畳部
２６ｃ  第３溝部
２６ｄ  溝底面
２６ｅ  テーパ部
４０  蓋部材
４２  フロアパネル
４４  長辺板部
４４ａ  上面
４４ｂ  第１溝部
４４ｃ  第２溝部
４４ｄ  溝底面
４４ｅ  テーパ部
４４ｆ  係止部
４５  稜線部
４６  短辺板部
４６ａ  外側面
４６ｂ  折畳部
４６ｃ  第３溝部
４６ｄ  溝底面
４６ｅ  テーパ部
４６ｆ  第４溝部
４６ｇ  溝底面
４６ｈ  テーパ部
４８  配線
【要約】
蓋部材の強度を向上させて、フロアパネルの開口部に載置されてその上方から大きな荷重が加えられた際に変形するのを防止することができると共に、その板厚が過度に厚くなることを防止することができる蓋部材及びこれを用いたフロアパネルを提供する。
互いに隣接する長辺板部２４と短辺板部２６を備えて断面が略Ｌ字状に形成された蓋部材２０であって、長辺板部２４は、この幅方向に隣接する短辺板部２６と共有する稜線部２５に対して略平行に伸びて互いに間隔をおいて並んで配置され、その上面２４ａより厚さ方向の裏側に凹んで形成された複数本の第１溝部２４ｂと、その上面２４ａより厚さ方向の裏側に凹んで形成され、その長さ方向両端部のそれぞれが、複数本の第１溝部２４ｂのそれぞれに連結された複数本の第２溝部２４ｃとを有する。【図１】
0005754828.tif 000002
【図２】
0005754828.tif 000003
【図３】
0005754828.tif 000004
【図４】
0005754828.tif 000005
【図５】
0005754828.tif 000006
【図６】
0005754828.tif 000007
【図７】
0005754828.tif 000008
【図８】
0005754828.tif 000009
【図９】
0005754828.tif 000010
【図１０】
0005754828.tif 000011